(57)【要約】【課題】  巻筒体および該巻筒体から引き出される薄膜材の押さえの効果を増大させた収納箱を提供する。【解決手段】  薄膜材を巻回した筒体を収納する収納箱１０であって、第１方向に延在する直方体からなり、前記第１方向を一辺とする一つの長方形面が開口されている箱体３０と、前記箱体３０の前記開口の前記第１方向とほぼ平行な一辺に接続された蓋体５０と、前記箱体３０の前記開口の前記第１方向と直交する第２方向とほぼ平行な辺に接続され、前記開口の中央側へ延在する折り込み片９０と、前記折り込み片９０の前記箱体３０との接続部３０Ｊから突出して形成され、前記蓋体５０を前記箱体３０の前記開口に閉塞させた際に、前記蓋体５０の内側面に形成された溝部７０に係止される舌状片８０と、を有し、前記折り込み片９０は、平面視した場合に、その延在端に延在方向に沿って幅狭となる丸み９０Ｒが形成されている。【選択図】図２
2014234179.tif 000002
【特許請求の範囲】
【請求項１】
薄膜材を巻回した筒体を収納する収納箱であって、
第１方向に延在する直方体からなり、前記第１方向を一辺とする一つの長方形面が開口されている箱体と、
前記箱体の前記開口の前記第１方向とほぼ平行な一辺に接続された蓋体と、
前記箱体の前記開口の前記第１方向と直交する第２方向とほぼ平行な辺に接続され、前記開口の中央側へ延在する折り込み片と、
前記折り込み片の前記箱体との接続部から突出して形成され、前記蓋体を前記箱体の前記開口に閉塞させた際に、前記蓋体の内側面に形成された溝部に係止される舌状片と、
を有し、
前記折り込み片は、平面視した場合に、その延在端に延在方向に沿って幅狭となる丸みが形成されていることを特徴とする収納箱。
【請求項２】
前記舌状片は、
前記蓋体と反対側における端辺の前記折り込み片と前記箱体の接続部に対する角度が、
前記蓋体側における端辺の前記接続部に対する角度よりも、
小さく形成されていることを特徴とする請求項１に記載の収納箱。
【請求項３】
前記折り込み片は、
前記箱体との接続部から前記延在端までの長さをＨとし、
前記箱体との前記接続部の幅をＷとした場合、
次式（１）
０．３４  ＜  Ｈ／Ｗ  ＜  ０．４０      ……（１）
を満たすことを特徴とする請求項１に記載の収納箱。
【発明の詳細な説明】
【技術分野】
【０００１】
本発明は収納箱に係り、特に、薄膜材を巻回した筒体を収納する収納箱に関する。
【背景技術】
【０００２】
たとえばラップフィルムを巻回した筒体（以下、巻筒体と称する）を収納する収納箱は、たとえば下記特許文献１に示したものが知られている。
特許文献１に示す収納箱は、まず、一方向に延在する直方体の該一方向を一辺とする一つの長方形面が開口された箱体を有する。箱体には、開口の前記一方向と平行な一辺に接続された蓋体と、開口の前記一方向と直交する各辺のそれぞれに接続された折り込み片と、が形成されている。該折り込み片は、箱体に収納した前記巻筒体の両端の上方に位置づけられ、巻筒体に巻回したラップフィルムを引き出す際に、巻筒体が箱体から飛び出すことのないように押さえの機能を有するようになっている。
【０００３】
そして、該折り込み片は、平面視した場合に、その延在端の中央が凹み、両脇が丸みを有して突出する形状をなしている。
また、折り込み片と箱体の接続部に該接続部に沿った台形状の切り欠きが形成され、折り込み片を箱体側に折り込んだ際に、該接続部に舌状片が形成され、この舌状片は、箱体の開口を閉塞する蓋体の裏面に形成された溝部に係止されるようになっている。
【先行技術文献】
【特許文献】
【０００４】
【特許文献１】特開２００２−１４５２５７号公報（特許第４５６２２７６号）
【発明の概要】
【発明が解決しようとする課題】
【０００５】
ここで、特許文献１に示した収納箱は、箱体に対する巻筒体の出し入れ等を容易にするため、上述したように、折り込み片の延在端が比較的複雑な形状となっている。
しかし、該折り込み片は、箱体に収納された巻筒体の押さえが充分でないという不都合を有する。このため、該巻筒体からラップフィルムを引き出す際に、該巻筒体が箱体から飛び出し易く、また、ラップフィルムを斜めにして引き出す際に、該ラップフィルムの両辺において該折り込み片による押さえが外れ易くなるという不都合を有する。
また、箱体に形成される舌状片は、ほぼ台形状をなし、蓋体の裏面に形成された溝部に対する係合が最初になされる端辺、および該溝部に対する係合の解除が最初になされる端辺がそれぞれ同じ角度となっている。このため、箱体に対する蓋体の閉塞および開放に際し、該閉塞および開放を感知し難いという不都合を有する。
本発明は、このような事情に鑑みてなされたものであり、その目的は、巻筒体および該巻筒体から引き出される薄膜材の押さえの効果を増大させた収納箱を提供することにある。
また、本発明の他の目的は、箱体に対する蓋体の閉塞および開放を確実に感知し得るようにした収納箱を提供することにある。
【課題を解決するための手段】
【０００６】
本発明は、以下の構成によって把握される。
（１）本発明の収納箱は、薄膜材を巻回した筒体を収納する収納箱であって、第１方向に延在する直方体からなり、前記第１方向を一辺とする一つの長方形面が開口されている箱体と、前記箱体の前記開口の前記第１方向とほぼ平行な一辺に接続された蓋体と、前記箱体の前記開口の前記第１方向と直交する第２方向とほぼ平行な辺に接続され、前記開口の中央側へ延在する折り込み片と、前記折り込み片の前記箱体との接続部から突出して形成され、前記蓋体を前記箱体の前記開口に閉塞させた際に、前記蓋体の内側面に形成された溝部に係止される舌状片と、を有し、前記折り込み片は、平面視した場合に、その延在端に延在方向に沿って幅狭となる丸みが形成されていることを特徴とする。
（２）本発明の収納箱は、（１）の構成において、前記舌状片は、前記蓋体と反対側における端辺の前記折り込み片と前記箱体の接続部に対する角度が、前記蓋体側における端辺の前記接続部に対する角度よりも、小さく形成されていることを特徴とする。
（３）本発明の収納箱は、（１）の構成において、前記折り込み片は、前記箱体との接続部から前記延在端までの長さをＨとし、前記箱体との前記接続部の幅をＷとした場合、次式（１）
０．３４  ＜  Ｈ／Ｗ  ＜  ０．４０      ……（１）
を満たすことを特徴とする。
【発明の効果】
【０００７】
このように構成した収納箱は、巻筒体および該巻筒体から引き出される薄膜材の押さえの効果を増大させることができるようになる。また、箱体に対する蓋体の閉塞および開放を確実に感知し得るようにできるようになる。
【図面の簡単な説明】
【０００８】
【図１】本発明の収納箱を示した斜視図である。
【図２】本発明の収納箱の折り込み片を示した平面図である。
【図３】本発明の収納箱の舌状片を示した側面図である。
【図４】本発明の収納箱の折り込み片を立脚させて示した上面図である。
【図５】本発明の収納箱の折り込み片と舌状片とを示した斜視図である。
【図６】本発明の収納箱の折り込み片の他の形態を示した平面図である。
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
（実施形態１）
図１は、本発明の収納箱を示した図であり、たとえばラップフィルムを巻回した筒体（以下、単に巻筒体と称する）を該収納箱に収納した状態を示した斜視図である。
【００１０】
図１において、収納箱１０は、まず、巻筒体２０を収納する箱体３０を有する。箱体３０は、図中ｘ方向（この明細書において第１方向と称する場合がある）に延在する直方体からなり、該ｘ方向を一辺とする一つの長方形面が開口部４０となっている。巻筒体２０は、この開口部４０を通して箱体３０に収納されるようになっている。
また、箱体３０は、開口部４０を閉塞する蓋体５０を有し、蓋体５０は、その一辺が、箱体３０の該開口部４０のｘ方向と平行な一辺に接続され、該一辺を除く他の三辺に側面部５０Ａが形成されている。蓋体５０が箱体３０の開口部４０を閉塞する際は、蓋体５０は、その各側面部５０Ａが対応する箱体３０の側面部と対向し、箱体３０の開口部４０を被うように配置される。
【００１１】
蓋体５０には、箱体３０に接続される辺と平行な側面部５０Ａの端辺に、その端辺に沿って形成されるカッター６０を備え、このカッター６０によって、箱体３０に収納される巻筒体２０から引き出されるラップフィルム２０Ａを切断できるようになっている。
なお、蓋体５０には、図１に示すように、図中ｘ方向に交差する各側面部５０Ａの内側に、蓋体５０の側面部５０Ａのうち前側面（符号５０Ｆで示す）の延在部５０Ｆ’を重ね貼付させることによって形成される溝部７０を有するようになっている。この溝部７０は、蓋体５０を箱体３０に閉塞した際、箱体３０に形成される舌状片８０が係止され、蓋体５０の箱体３０への閉塞を維持できるようになっている。
【００１２】
さらに、箱体３０には、その開口部４０のｙ方向（この明細書において第２方向と称する場合がある）と平行な辺のそれぞれに接続された一対の折り込み片９０が形成されている。
折り込み片９０は、それぞれ、開口部４０の中央側へ延在するようにして折り込まれ、箱体３０に収納された巻筒体２０の両端およびその近傍を被うように配置されている。
【００１３】
そして、折り込み片９０は、平面視した場合に、その延在端に延在方向に沿って幅狭となる丸みが形成されている。換言すれば、折り込み片９０は、その延在端に延在方向に凸となる丸みが形成されている。
図２は、折り込み片９０の平面図である。図２は、図１に示す収納箱１０において、図中右側の端部に取り付けられている折り込み片９０を示している。
図２から明らかとなるように、折り込み片９０は、箱体３０（図１参照）との接続部３０Ｊから幅Ｗを有して、箱体３０の開口部４０の中央側へ延在され、その延在端はその延在方向に沿って幅狭となる円弧状の丸み９０Ｒが形成されている。折り込み片９０の接続部３０Ｊから延在端までは長さＨを有するようになっている。
【００１４】
ここで、前記折り込み片９０は、そのＷとＨが、次式（１）
０．３４  ＜  Ｈ／Ｗ  ＜  ０．４０      ……（１）
の関係を満たすようになっている。
これにより、折り込み片９０は、箱体３０（図１参照）の接続部３０Ｊから比較的長い距離で開口部４０の中央側へ延在するように形成されることになる。
このため、箱体３０内の巻筒体２０の折り込み片９０による押さえが充分となり、巻筒体２０からラップフィルム２０Ａを引き出す際に、巻筒体２０が箱体３０から飛び出し難くなり、また、ラップフィルム２０Ａを斜めにして引き出す際に、ラップフィルム２０Ａの両辺において折り込み片９０による押さえが外れ難くなる効果を奏する。
【００１５】
また、折り込み片９０の箱体３０との接続部３０Ｊにおいて、図３に示すように、その中央に、該接続部３０Ｊの長手方向に沿い両端が折り込み片９０側に屈曲した形状の切り欠き１００が形成されている。なお、図３は、図４に示すように、折り込み片９０を箱体３０に対して立脚させた場合の側面から（図中α方向）観た図である。
これにより、折り込み片９０を箱体３０の開口部４０側へ折り込むことにより（図１参照）、折り込み片９０と面一を保持しようとする舌状片８０は、図５に示すように、箱体３０の端側面（図中符号３０Ｆで示す）から外方へ若干突出するように形成される。
【００１６】
この舌状片８０は、蓋体５０を箱体３０に閉塞した際に、蓋体５０のｘ方向に交差する各側面部５０Ａの内側に形成された溝部７０に係止される係止部として機能するようになっている。
この場合、蓋体５０を箱体３０に閉塞していく過程において、舌状片８０の蓋体５０側の端辺から蓋体５０と反対側の端辺にかけて溝部７０（図１参照）に係止されるようになる。舌状片８０の蓋体５０側の端辺は、図２に示すように、折り込み片９０と箱体３０の接続部３０Ｊに対して比較的大きな角度θＬを有して形成されていることから、前記溝部７０との係合が瞬時的にクリック感を有してなされるようになる。これに対し、舌状片８０の蓋体５０と反対側の端辺は、図２に示すように、折り込み片９０と箱体３０の接続部３０Ｊに対して比較的小さな角度θＳを有して形成されていることから、前記溝部７０との係合が緩やかになされるようになる。
【００１７】
また、蓋体５０を箱体３０から開放していく過程において、舌状片８０の蓋体５０と反対側の端辺から蓋体５０側の端辺にかけて溝部７０（図１参照）から開放されるようになる。舌状片８０の蓋体５０と反対側の端辺は、図２に示すように、折り込み片９０と箱体３０の接続部３０Ｊに対して比較的小さな角度θＳを有して形成されていることから、前記溝部７０からの開放が緩やかになされるようになる。これに対し、舌状片８０の蓋体５０側の端辺は、図２に示すように、折り込み片９０と箱体５０の接続部３０Ｊに対して比較的大きな角度θＬを有して形成されていることから、前記溝部７０との開放が瞬時的にクリック感を有してなされるようになる。
【００１８】
舌状片８０の形状を、上述に示したようにすることにより、箱体３０に対する蓋体５０の閉塞および開放を確実に感知し得るようにできるようになる。
【００１９】
（実施形態２）
実施形態１では、収納箱１０の折り込み片９０は、その延在端が、該折り込み片９０の幅方向の真ん中に中心を有する半円弧状の丸みを有して形成するようにしたものである。
しかし、これに限定されることはなく、たとえば、図６に示すように、折り込み片９０は、その延在端に形成される丸み９０Ｒが、該折り込み片９０の幅方向の真ん中よりも一方の側に偏移するようにして形成されるようにしてもよいことはもちろんである。このようにした場合でも同様の効果を奏するからである。
【００２０】
（実施形態３）
各実施形態で示した筒体に巻回される薄膜材は、ラップフィルムを示したものである。しかし、ラップフィルムに限定されることはなく、アルミホイル等のクッキングシートであってもよいことはいうまでもない。
【００２１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２２】
１０        収納箱
２０        巻筒体
２０Ａ      ラップフィルム
３０        箱体
４０        開口部
５０        蓋体
５０Ａ      側面部
６０        カッター
７０        溝部
８０        舌状片
９０        折り込み片
９０Ｒ      丸み
１００      切り欠き
【図１】
2014234179.tif 000003
【図２】
2014234179.tif 000004
【図３】
2014234179.tif 000005
【図４】
2014234179.tif 000006
【図５】
2014234179.tif 000007
【図６】
2014234179.tif 000008